(57)【要約】【課題】照明装置の交換部品の最新情報を取得可能な部品交換システムを提供する。【解決手段】実施形態の部品交換システム１００は、照明装置１０と、照明装置１０と通信可能な端末２０と、サーバー３０とから構成される。照明装置１０は装置名称を記憶する記憶部１５と、自機の搭載部品を点検する点検部１７と、装置名称および点検情報を送信する通信部１４を有する。端末２０は、照明装置１０と通信が可能であり、照明装置１０から送信された装置名称および点検情報を取得し、取得した装置名称および点検情報を表示部２４に表示する。サーバー３０は、装置名称よりも情報量が大きい装置情報を記憶する記憶部３２を有し、端末２０が取得した装置名称を含む装置情報要求信号を受信すると、記憶部３２が記憶している照明装置１０の装置情報を送信する。【選択図】図１
2019067598.tif 000002
【特許請求の範囲】
【請求項１】
照明装置と、照明装置と通信可能な端末と、サーバーとから構成される部品交換システムであって、
前記照明装置は装置名称を記憶する記憶部と、自機の搭載部品を点検する点検部と、前記装置名称および点検情報を送信する通信部を有し、
前記端末は、前記照明装置と通信が可能であり、前記照明装置から送信された前記装置名称および点検情報を取得し、取得した前記装置名称および点検情報を表示する表示部を有し、
前記サーバーは、前記装置名称よりも情報量が大きい装置情報を記憶する記憶部を有し、前記端末が取得した前記装置名称を含む装置情報の要求信号を受信すると、前記記憶部が記憶している前記照明装置の装置情報を送信する
ことを特徴とする部品交換システム。
【請求項２】
前記装置名称は、前記照明装置の型名とは異なり、前記型名よりも情報量が少ないことを特徴とする請求項１に記載の部品交換システム。
【請求項３】
前記端末は、前記サーバーとネットワークを介して通信可能であることを特徴とする請求項１または請求項２に記載の部品交換システム。
【請求項４】
前記端末は、前記照明装置から受信した点検結果より前記搭載部品の交換が必要と判断した場合、前記サーバーへ前記装置情報の要求信号を送信することを特徴とする請求項３に記載の部品交換システム。
【請求項５】
前記照明装置は、光源と、蓄電池とを備え、前記点検部は、前記光源と前記蓄電池とを点検することを特徴とする請求項１ないし請求項４のいずれか一項に記載の部品交換システム。
【請求項６】
前記装置情報は、前記照明装置が搭載している部品の型名およびリニューアル型名を含んでいることを特徴とする請求項１ないし請求項５のいずれか一項に記載の部品交換システム。
【発明の詳細な説明】
【技術分野】
【０００１】
本発明の実施形態は、部品交換システムに関する。
【背景技術】
【０００２】
従来、外部電源としての商用交流電源の停電時に蓄電池などのバックアップ電源によって光源を点灯させる電源回路を備えた誘導用照明装置や非常用照明装置がある。このような、照明装置に搭載される電源回路などの部品の寿命は１０年程である。一方、搭載している蓄電池の寿命は５年程であり、他の部品と比較して寿命が短いため寿命が近づくと交換する必要がある。
【０００３】
しかしながら、このような照明装置に搭載されている光源や蓄電池などの部品は、装置内部に設けられているため外観からでは部品の型名を確認することは困難である。また、部品は性能の向上などによりリニューアルされる場合があり、リニューアルされると部品の型名が変更になるとともに、古い型名の部品は製造が中止となる場合がある。そのため、点検作業者は照明装置に搭載された部品を交換する際にどの型名の部品を用意すべきか分かりづらい問題がある。
【先行技術文献】
【特許文献】
【０００４】
【特許文献１】特開２０１７−１２６５８１号公報
【発明の概要】
【発明が解決しようとする課題】
【０００５】
本発明が解決しようとする課題は、照明装置の交換部品の最新情報を取得可能な部品交換システムを提供することである。
【課題を解決するための手段】
【０００６】
実施形態の部品交換システムは、照明装置と、照明装置と通信可能な端末と、サーバーとから構成される。照明装置は装置名称を記憶する記憶部と、自機の搭載部品を点検する点検部と、装置名称および点検情報を送信する通信部を有する。端末は、照明装置と通信が可能であり、照明装置から送信された装置名称および点検情報を取得し、取得した装置名称および点検情報を表示部に表示する。サーバーは、装置名称よりも情報量が大きい装置情報を記憶する記憶部を有し、端末が取得した装置名称を含む装置情報要求信号を受信すると、記憶部が記憶している照明装置の装置情報を送信する。
【発明の効果】
【０００７】
本発明によれば、照明装置と端末との間の通信の負荷を軽減するとともに交換部品の最新情報を取得できることが期待できる。
【図面の簡単な説明】
【０００８】
【図１】実施形態の部品交換システムの構成例を示す図である。
【図２】同上照明装置を示す斜視図である。
【図３】同上照明装置の構成例を示すブロック図である。
【図４】同上端末の構成例を示すブロック図である。
【図５】同上端末の表示部を示す図である。
【図６】同上サーバーの構成例を示すブロック図である。
【図７】同上サーバーが記憶している装置情報の一例を示す図である。
【図８】同上部品交換システムの動作を示すシーケンス図である。
【発明を実施するための形態】
【０００９】
以下、実施形態を図面を参照して説明する。
【００１０】
図１は、実施形態の部品交換システムの構成例を示す図である。図１に示すように、部品交換システム１００は、照明装置１０、端末２０、サーバー３０を有する。端末２０は、たとえば、スマートフォンやタブレット端末などである。照明装置１０と端末２０はＢＬＥ（Bluetooth（登録商標）Low  Energy）などのメッシュネットワークが可能な無線通信方式で接続されている。また、端末２０とサーバー３０は、ネットワーク２を介して接続さている。ネットワーク２は、たとえば、インターネットである。また、サーバー３０は、たとえば、クラウドネットワーク上のＷｅｂサーバーであってもよい。
【００１１】
また、端末２０は、たとえば、リモコンでもよい。端末２０がリモコンの場合、端末２０はＰＣ（Personal  Computer）などの別端末とＵＳＢケーブなどで通信を行い、ＰＣがネットワーク２を介してサーバーと接続される。実施形態では、端末２０は、スマートフォンやタブレット端末を用いた構成とする。
【００１２】
[照明装置の構成]
【００１３】
図２および図３を参照して、照明装置１０の構成について説明する。図２および図３に示すように、この照明装置１０は、光源１１と、蓄電池１２と、制御部１３および記憶部１５と、通信部１４とを備え、これらは筐体１６の内部に収納されている。また、筐体１６の背面側には、外部電源１８と接続される端子台１９が設けられている。
【００１４】
光源１１は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１５】
蓄電池１２は、筐体内部に着脱可能に設けられた電池であり、ニカド電池、ニッケル水素電池、あるいはリチウムイオン電池などの充電可能な二次電池である。
【００１６】
外部電源１８は、商用交流電源、あるいは直流電源など、任意の電源とすることが可能である。本実施形態では、外部電源を商用交流電源としている。
【００１７】
端子台１９は、筐体１６の背面側に設けられており、図示しない電線を介して外部電源１８と制御部１３とを電気的に接続するものである。
【００１８】
制御部１３は、外部電源１８および蓄電池１２と電気的に接続されており、外部電源１８および蓄電池１２からの電力を光源１１、通信部１４などに供給するものである。制御部１３には、外部電源１８から供給された電力が端子台１９を介して供給される。制御部１３は、常用時には外部電源１８により蓄電池１２を充電し、非常時には蓄電池１２の電力を光源１１に供給するように制御する。
【００１９】
また、制御部１３は点検部１７と記憶部１５を備えており、点検部１７が点検した点検情報を記憶部１５に記憶し、点検情報を通信部１４から端末２０へ出力するように制御することができる。
【００２０】
点検部１７は、蓄電池１２の電圧、電流、温度、放電時間及び放電回数などを検知することにより非常用照明装置１０の蓄電池１２が正常に動作するか否かの点検を行い、これらの点検情報を記憶部１５に出力する。また、制御部１３は点検情報より蓄電池１２の点検結果の判定を行う。点検の結果、蓄電池１２が正常に動作する状態であれば「正常」、点検結果により正常に動作しない状態であれば「異常」と判定する。また、点検部１７は、点検情報から蓄電池１２の寿命を予測し、この寿命の予想から蓄電池１２の寿命が近く交換が必要と判断すると「電池交換」と判定する。
【００２１】
また、点検部１７は、光源１１の電圧、電流、温度などを検知することにより光源１１が正常に動作するか否かの点検を行い、これらの点検情報を記憶部１５に出力する。点検の結果、光源１１が正常に動作する状態であれば「正常」、点検結果により正常に動作しない状態であれば「異常」と判定する。また、点検部１７は、点検情報から光源１１の寿命を予測し、この寿命の予測から光源１１の寿命が近く交換が必要と判断すると「光源交換」と判定する。
【００２２】
記憶部１５は揮発性メモリおよび不揮発性メモリなどから構成される。記憶部１５は、点検部１７から入力される蓄電池１２や光源１１の点検情報を記憶する。
【００２３】
また、記憶部１５には照明装置１０の装置名称が記憶されている。この装置名称は、照明装置の型名、たとえば「ＬＥＤＥＭ０９２２１Ｎ」（型名）とは異なり、装置の型名よりも短い文字または数字などの情報により型名よりも少ない情報量で構成されるのが好ましく、たとえば、「Ａ１」などとしてもよい。この装置名称は、照明装置１０を製造時に記憶される。
【００２４】
通信部１４は、無線通信でデータを送受信するためのインターフェースである。通信部１４は、たとえば、Ｂｌｕｅｔｏｏｔｈ（登録商標）接続をサポートするインターフェースである。ここでは、ＢＬＥ通信をサポートするものとする。通信部１４は、制御部１３に接続されており記憶部１５が記憶している点検情報および装置名称を無線信号として外部端末に送信する。
[端末の構成]
【００２５】
次に、端末２０の構成について説明する。図４は、端末２０の構成例を示し、図５は、端末２０の表示部２４を示している。図４および図５に示すように、端末２０は、通信部２１、記憶部２２、制御部２３、表示部２４を有する。
【００２６】
通信部２１は、照明装置１０と無線通信が可能な通信部であり点検情報などの情報の送受信を行う。また、通信部２１は、インターンネットを介してサーバー３０と接続され、照明装置の装置情報などの情報の送受信を行う。
【００２７】
記憶部２２は揮発性メモリおよび不揮発性メモリなどから構成される。記憶部２２は、照明装置１０から受信した点検情報やサーバー３０から取得した装置情報などを記憶する。また、記憶部２２は、端末２０で実行される各種プログラムを記憶する。
【００２８】
制御部２３は、端末２０全体の制御を実行する。制御部２３は、通信部２１を介して照明装置１０に点検指示信号を送信する。また、制御部２３は、照明装置１０の点検情報から光源１１または蓄電池１２の交換が必要であるとの点検情報を受信した場合、通信部２１からネットワーク２を介してサーバー３０に装置名称とともに装置情報を要求する要求信号を送信する。
【００２９】
表示部２４は、照明装置１０から受信した点検情報やサーバー３０から取得した装置情報などを表示する表示画面である。図４に示すように、端末２０は照明装置１０から点検情報および装置名称を受信すると、装置名称、光源の点検結果、蓄電池の点検結果を表示部２４に表示する。具体的には、たとえば図５に示すように、表示部２４にリストが表示され装置名称に「Ａ１」、光源の点灯結果に「正常」、蓄電池の点検結果に「正常」と表示される。
【００３０】
［サーバーの構成］
【００３１】
次に、サーバー３０の構成について説明する。図６は、実施形態に係るサーバーの構成例を示す図である。図６に示すように、サーバー３０は、通信部３１、記憶部３２及び制御部３３を有する。
【００３２】
通信部３１は、インターネットを介して、端末との間でデータ通信を行う。記憶部３２は、ＨＤＤ（Hard  Disk  Drive）、ＳＳＤ（Solid  State  Drive）、光ディスク等の記憶装置である。なお、記憶部３２は、ＲＡＭ（Random  Access  Memory）、フラッシュメモリ、ＮＶＳＲＡＭ（Non  Volatile  Static  Random  Access  Memory）等のデータを書き換え可能な半導体メモリであってもよい。記憶部３２は、サーバー３０で実行されるＯＳ（Operating  System）や各種プログラムを記憶する。さらに、記憶部３２は、プログラムの実行で用いられる各種情報を記憶する。また、記憶部３２は、照明装置１０の装置情報を記憶する。
【００３３】
図７を参照して、サーバー３０が記憶している装置情報について説明する。図７はサーバー３０が記憶している照明装置１０の装置情報の一例を示す図である。図７に示すように、装置情報には、照明装置１０に記憶されている装置名称、照明装置１０に搭載されている光源１１および蓄電池１２の型名、照明装置１０に搭載されている光源１１および蓄電池１２のリニューアル型名が含まれる。リニューアル型名は、たとえば照明装置１０が搭載している光源１１、蓄電池１２が性能アップなどによりリニューアルされた場合に付与された型名であり、照明装置１０に搭載可能な部品の型名である。つまり、サーバー３０は、照明装置１０が記憶している装置名称よりも情報量が大きい装置情報を記憶している。
【００３４】
照明装置１０には製造時に装置名称が記憶されるため、それに伴い、サーバー３０の記憶部３２に照明装置１０の装置名称および、照明装置１０に搭載された光源１１の型名、蓄電池１２の型名が記憶される。また、光源１１または蓄電池１２がリニューアルされた場合、装置情報にリニューアルされた光源１１または蓄電池１２の型名情報が追加される。
【００３５】
サーバー３０は、端末２０から装置名称とともに照明装置１０の装置情報要求信号を受信すると、受信した装置名称に対応した装置情報を記憶部３２から呼び出し通信部３１から送信する。
【００３６】
端末２０は、サーバー３０から受信した装置情報を表示部２４に表示することにより、点検作業者は照明装置１０に搭載された装置情報を取得することができる。
【００３７】
このように、照明装置１０が搭載した光源１１または蓄電池１２の交換が必要となった場合、端末２０はサーバー３０にアクセスすることで照明装置１０に搭載された光源１１、蓄電池１２の最新の型名を取得することができる。
【００３８】
そのため照明装置１０は、記憶部１７に照明装置１０の型名、光源１１の型名、蓄電池１２の型名を記憶することなく、情報量が少ない装置名称を記憶すれば良いため、照明装置１０の記憶部１５の記憶容量を圧迫することなく、照明装置１０と端末２０との間の通信に負荷がかかりにくくなる。また、端末２０がサーバー３０にアクセスすることにより照明装置１０に搭載されている光源１１、蓄電池１２の型名だけでなくリニューアル型名情報を取得することができるため、搭載部品がリニューアルされた場合でも対応することができ、最新の装置情報を得ることができる。
【００３９】
次に、図８を用いて部品交換システムの動作の流れについて説明する。
【００４０】
ここで、照明装置１０の記憶部１５には製造時に装置名称「Ａ１」が記憶されているものとする。また、サーバー３０の記憶部３２には照明装置１０に関する装置情報が記憶されているものとする。
【００４１】
点検作業者は、端末２０を介して照明装置１０へ点検指示信号を送信する（Ｓ１）。点検指示を受信した照明装置１０は、光源１１および蓄電池１２の点検を行う（Ｓ２）。また、点検情報を分析し光源１１および蓄電池１２の寿命を予測する（Ｓ３）。照明装置１０は、点検が完了すると点検結果とともに装置名称を端末２０へ送信する（Ｓ４）。端末２０は、受信した点検結果が「電池交換」または「光源交換」であった場合、ネットワーク２を介してサーバー２０に装置名称「Ａ１」に関する装置情報の要求信号を送信する（Ｓ５）。端末２０から要求信号を受信したサーバー３０は自身の記憶部３２から装置名称「Ａ１」に関する装置情報を呼び出し、ネットワーク２を介して端末２０へ送信する（Ｓ７）。装置情報を受信した端末２０は装置情報を表示することにより、点検作業者は照明装置１０に搭載されている部品型名およびリニューアルされた部品型名を取得することができる（Ｓ８）。
【００４２】
このように、照明装置１０の記憶部１５に装置名称を記憶させ、サーバー３０の記憶部３２に装置名称に対応した部品型名を記憶させておくことにより、照明装置１０は、記憶部１７に照明装置１０の型名、光源１１の型名、蓄電池１２の型名を記憶することなく、情報量が少ない装置名称を記憶すれば良いため、照明装置１０の記憶部１５の容量および通信時の負荷を軽減させることができる。また、サーバー３０の記憶部３２に装置名称にリニューアルされた型名情報を記憶さることにより、点検作業者はネットワーク２を介してサーバー３０にアクセスすることにより、照明装置１０に搭載された部品型名だけでなくリニューアル型名も把握できるため、最新の情報が取得でき、交換時にどの型名の部品を用意すべきか把握することができる。
【００４３】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１０    照明装置
１４    通信部
１５    記憶部
１７    点検部
２０    端末
２４    表示部
３０    サーバー
３２    記憶部
１００  部品交換システム
【図１】
2019067598.tif 000003
【図２】
2019067598.tif 000004
【図３】
2019067598.tif 000005
【図４】
2019067598.tif 000006
【図５】
2019067598.tif 000007
【図６】
2019067598.tif 000008
【図７】
2019067598.tif 000009
【図８】
2019067598.tif 000010